(57)【要約】【課題】肥満外科患者に位置付けされ得るアクセスポートを提供する。【解決手段】カラーと圧縮性ポータル部材とを備える、切開内に位置付けされてその下にある体腔にアクセスするためのポータルアセンブリが開示される。このカラーは、長手方向軸を規定しかつ長手方向通路を有する、細長部材を備える。このポータル部材は、外科的物体の通過のための１または複数の長手方向ポートを備える。そのポータル部材は、そのカラーの長手方向通路内に位置付け可能であり、それによって切開内でのそのポータルアセンブリの長さを調整する。【選択図】図１
2012110677.tif 000002
【特許請求の範囲】
【請求項１】
切開内に位置付けして、その下にある体腔にアクセスするためのポータルアセンブリであって、
細長部材を備えるカラーであって、該細長部材は長手軸を規定し、そして長手方向通路を有する、カラーと、
外科的物体の通過のための少なくとも１つの長手方向ポートを有する圧縮可能なポータル部材であって、該ポータル部材は、該カラーの該長手方向通路内に位置付けされ得、それによって該切開内での該ポータルアセンブリの長さを調整する、ポータルアセンブリ。
【請求項２】
前記カラーが、該カラーの後端にフランジ部分を備え、該カラーの前端にテーパー状部分を備える、請求項１に記載のポータルアセンブリ。
【請求項３】
前記ポータル部材は、複数の長手方向ポートを備える、請求項１に記載のポータルアセンブリ。
【請求項４】
前記カラーが、前記細長部材の後端にフランジ部分を備える、請求項１に記載のポータルアセンブリ。
【請求項５】
前記フランジ部分は、漏斗形状の構成を備え、それを通る前記ポータル部材の挿入を容易にする、請求項４に記載のポータルアセンブリ。
【請求項６】
前記フランジ部分は、患者の外表面に隣接して体腔との適切な封を維持し、そして前記カラーが前記切開および前記その下にある体腔内に完全に入ることを防止するように構成された、裏面を備える、請求項４に記載のポータルアセンブリ。
【請求項７】
前記カラーは、前記細長部材の前端にテーパー状先端を備え、該テーパー状先端が内部部分を有する、請求項１に記載のポータルアセンブリ。
【請求項８】
前記テーパー状先端の内部部分は、前記細長部材の第二の直径よりも短い直径である第一の直径を有する、請求項７に記載のポータルアセンブリ。
【請求項９】
前記第一の直径および第二の直径は、約３ｍｍから約１５ｍｍの範囲である、請求項８に記載のポータルアセンブリ。
【請求項１０】
前記ポータル部材の後端は、前記テーパー状先端の内部部分に隣接して封を維持し、そして該ポータル部材の前端は、腹壁の底部層に隣接して適切な封を維持する、請求項８に記載のポータルアセンブリ。
【請求項１１】
前記細長部材は、スタック構成においてその長さに沿って配置された、複数の内向きに突出する輪状リブを備える、請求項１に記載のポータルアセンブリ。
【請求項１２】
前記ポータル部材の前記後端は、内部の封をされた関係が前記長手方向通路内で生じるように、前記複数の輪状リブのうちの少なくとも１つに隣接する、請求項１１に記載のポータルアセンブリ。
【請求項１３】
前記ポータル部材の後端は、複数の輪状リブのうちの少なくとも１つに隣接し、それによってポータルアセンブリの全体の長さを変動させるように構成されている、請求項１１に記載のポータルアセンブリ。
【請求項１４】
前記複数の輪状リブは、該リブ内の前記ポータル部材の滑動を向上させるための滑らかなコーティングを備える、請求項１１に記載のポータルアセンブリ。
【発明の詳細な説明】
【技術分野】
【０００１】
（関連出願への相互参照）
本願は、２０１０年１１月２３日に出願された米国仮特許出願第61/416,529号の利益および優先権を主張する。米国仮特許出願第61/416,529号は、その全体が参考として援用される。
【０００２】
（背景）
技術分野
本開示は、一般的に、内視鏡および／または腹腔鏡手段のような、最小侵襲性の外科手段における使用のためのポータルアセンブリに関し、より具体的には、患者の切開内でのそのポータルアセンブリの長さを変動させるのを補助するための、ポータル部材およびカラーに関する。
【背景技術】
【０００３】
（関連分野の説明）
最小侵襲性の外科手術は、通常は１インチ未満の寸法の、患者の身体における１または複数の小さな切開を通じて行われるタイプの外科手術である。最小侵襲性外科手術のある利点は、患者が身体にあまり外傷を有さず、あまり血液を失わず、より小さな外科的瘢痕しか有さず、そしてあまり疼痛投薬を必要としないことである。
【０００４】
代表的な最小侵襲性外科手段の間、外科的アクセスデバイス（例えば、トロカールおよびカニューレアセンブリ、または内視鏡）のような外科的物体は、組織における切開を通じて患者の身体内に挿入される。一般的に、患者の身体へのその外科的物体の導入の前に、通気ガスが、標的外科部位を囲む領域を拡大し、より大きく、よりアクセス性のよい作業領域を作り出すために使用される。従って、通気ガスの漏れと、拡大された外科部位の収縮または崩壊とを防止するために、実質的に流体密な封の維持が所望される。
【発明の概要】
【発明が解決しようとする課題】
【０００５】
このために、弁および封を有する種々のポートが、最小侵襲性手段の過程の間に使用され、当該分野のおいて広範に知られている。しかしながら、肥満外科患者に位置付けされ得るアクセスポートに対する継続的必要性が存在する。
【課題を解決するための手段】
【０００６】
（要旨）
カラーと、圧縮可能なポータル部材および／または外科的ポートとを備える、切開内に位置付けされてその下にある体腔へアクセスするためのポータルアセンブリが、本明細書中で開示される。このカラーは細長部材を備え、この細長部材が長手方向軸を規定し、長手方向通路を有する。このポータル部材は、外科的物体の通過のための１または複数の長手方向ポートを備える。このポータル部材は、そのカラーの長手方向通路内に位置付け可能であり、それによって切開内での上記ポータルアセンブリの長さを調整することができる。
【０００７】
ある実施形態において、上記カラーは、その後端にフランジ部分を、そしてその前端にテーパー状部分を備える。上記ポータル部材は、複数の長手方向ポートを備える。そのカラーは、細長部材の後端にフランジ部分を備える。
【０００８】
そのフランジ部分は、その中を通っての上記ポータル部材の挿入を容易にするための、漏斗形状の構成を備える。このフランジ部分は、患者の外表面に隣接して体腔との適切な封を維持し、そして上記カラーが上記切開およびその下にある体腔内に完全に入ることを防止するように構成された、裏面を備える。
【０００９】
他の実施形態において、上記カラーは、上記細長部材の前端にテーパー状先端を備え、テーパー状先端は内部部分を有する。このテーパー状先端の内部部分は、その細長部材の第二の直径よりも短い直径である第一の直径を有する。この第一の直径および第二の直径は、約３ｍｍから約１５ｍｍの範囲であり得る。
【００１０】
ある実施形態において、上記ポータル部材の後端は、上記テーパー状先端の内部部分に隣接して封を維持し、そしてそのポータル部材の前端は、腹壁の底部層に隣接して適切な封を維持する。上記細長部材は、スタック構成においてその長さに沿って配置された、複数の内向きに突出する輪状リブを備える。そのポータル部材の後端は、内部の封をされた関係が上記長手方向通路内で生じるように、その複数の輪状リブのうちの少なくとも１つに隣接する。上記ポータル部材の後端は、複数の輪状リブのうちの少なくとも１つに隣接し、それによってポータルアセンブリの全体の長さを変動させるように構成されている。その複数の輪状リブは、該リブとの上記ポータル部材の滑動を向上させるための滑らかなコーティングを備える。
【００１１】
本発明はまた、以下の項目を提供する。
（項目１）切開内に位置付けして、その下にある体腔にアクセスするためのポータルアセンブリであって、
細長部材を備えるカラーであって、該細長部材は長手軸を規定し、そして長手方向通路を有する、カラーと、
外科的物体の通過のための少なくとも１つの長手方向ポートを有する圧縮可能なポータル部材であって、該ポータル部材は、該カラーの該長手方向通路内に位置付けされ得、それによって該切開内での該ポータルアセンブリの長さを調整する、ポータルアセンブリ。
（項目２）上記カラーが、該カラーの後端にフランジ部分を備え、該カラーの前端にテーパー状部分を備える、項目１に記載のポータルアセンブリ。
（項目３）上記ポータル部材は、複数の長手方向ポートを備える、上記項目のいずれかの１項に記載のポータルアセンブリ。
（項目４）上記カラーが、上記細長部材の後端にフランジ部分を備える、上記項目のいずれかの１項に記載のポータルアセンブリ。
（項目５）上記フランジ部分は、漏斗形状の構成を備え、それを通る上記ポータル部材の挿入を容易にする、上記項目のいずれかの１項に記載のポータルアセンブリ。
（項目６）上記フランジ部分は、患者の外表面に隣接して体腔との適切な封を維持し、そして上記カラーが上記切開および上記その下にある体腔内に完全に入ることを防止するように構成された、裏面を備える、上記項目のいずれかの１項に記載のポータルアセンブリ。
（項目７）上記カラーは、上記細長部材の前端にテーパー状先端を備え、該テーパー状先端が内部部分を有する、上記項目のいずれかの１項に記載のポータルアセンブリ。
（項目８）上記テーパー状先端の内部部分は、上記細長部材の第二の直径よりも短い直径である第一の直径を有する、上記項目のいずれかの１項に記載のポータルアセンブリ。
（項目９）上記第一の直径および第二の直径は、約３ｍｍから約１５ｍｍの範囲である、上記項目のいずれかの１項に記載のポータルアセンブリ。
（項目１０）上記ポータル部材の後端は、上記テーパー状先端の内部部分に隣接して封を維持し、そして該ポータル部材の前端は、腹壁の底部層に隣接して適切な封を維持する、上記項目のいずれかの１項に記載のポータルアセンブリ。
（項目１１）上記細長部材は、スタック構成においてその長さに沿って配置された、複数の内向きに突出する輪状リブを備える、上記項目のいずれかの１項に記載のポータルアセンブリ。
（項目１２）上記ポータル部材の上記後端は、内部の封をされた関係が上記長手方向通路内で生じるように、上記複数の輪状リブのうちの少なくとも１つに隣接する、上記項目のいずれかの１項に記載のポータルアセンブリ。
（項目１３）上記ポータル部材の後端は、複数の輪状リブのうちの少なくとも１つに隣接し、それによってポータルアセンブリの全体の長さを変動させるように構成されている、上記項目のいずれかの１項に記載のポータルアセンブリ。
（項目１４）上記複数の輪状リブは、該リブ内の上記ポータル部材の滑動を向上させるための滑らかなコーティングを備える、上記項目のいずれかの１項に記載のポータルアセンブリ。
【００１２】
（要旨）
カラーと圧縮性ポータル部材とを備える、切開内に位置付けされてその下にある体腔にアクセスするためのポータルアセンブリが開示される。このカラーは、長手方向軸を規定しかつ長手方向通路を有する、細長部材を備える。このポータル部材は、外科的物体の通過のための１または複数の長手方向ポートを備える。そのポータル部材は、そのカラーの長手方向通路内に位置付け可能であり、それによって切開内でのそのポータルアセンブリの長さを調整する。
【００１３】
本開示のこれらおよび他の特徴は、以下の種々の実施形態の詳細な説明において、より詳細に説明される。
【００１４】
本開示の上記および他の局面、特徴および利点は、添付の図面と組み合わせて、以下の詳細な説明に鑑みれば、より明確になるであろう。
【図面の簡単な説明】
【００１５】
【図１】図１は、本開示の原理に従う外科的ポートおよびカラーアセンブリの拡大斜視図である。
【図２】図２は、外科手術部位における組織層上に作製された切開の斜視断面図である。
【図３Ａ】図３Ａは、外科手術部位における切開内への外科的ポートおよびカラーアセンブリの挿入を図示する、図１Ａの外科的ポートおよびカラーアセンブリの長手方向断面図である。
【図３Ｂ】図３Ｂは、外科手術部位における切開内への外科的ポートおよびカラーアセンブリの挿入を図示する、図１Ａの外科的ポートおよびカラーアセンブリの長手方向断面図である。
【図３Ｃ】図３Ｃは、外科手術部位における切開内への外科的ポートおよびカラーアセンブリの挿入を図示する、図１Ａの外科的ポートおよびカラーアセンブリの長手方向断面図である。
【図４】図４は、本開示の別の実施形態に従う、外科部位における切開内への外科的ポートおよびカラーアセンブリの挿入を図示する、外科的ポートおよびカラーアセンブリの長手方向断面図である。
【発明を実施するための形態】
【００１６】
本開示の他の特徴は、本開示の原理を例示として図示する添付の図面と組み合わせて、以下の詳細な説明から明確になるであろう。
【００１７】
（詳細な説明）
本開示の具体的実施形態は、添付の図面を参照して本明細書中に説明される。図面において示され、そして以下の説明を通じて記載されるように、そして慣習の通りに、物体における相対的位置付けに言及する場合には、用語「近位」または「後方」は、使用者により近い装置の端部をいい、そして用語「遠位」または「前方」は、使用者から遠い装置の端部をいう。以下の説明において、不必要な詳細により本開示が曖昧になるのを避けるために、周知の機能または構成は詳細には記載されない。
【００１８】
１つのタイプの最小侵襲性外科手術は、単一のエントリーポイント（代表的には患者のへそ）を通る複数の機器の作動を可能にするアクセスデバイスを利用する。さらに、本開示の特定の局面は腹壁を介する腹腔鏡外科手術に関して記載されるが、本発明は少切開外科手術のような他のタイプの外科手術にも同等に関連し、そしてそのような外科手術と組み合わせて利用され得、それによって膣、肛門、口、耳、鼻道などのような天然の開口部を介して体腔へのアクセスが提供される。開示される手段は、体腔に通気すること、およびポータル部材を、例えば患者のへその中に位置付けることを包含する。内視鏡および他の機器（例えば、捕捉器、ステープラー、鉗子など）を含む機器が、そのポータル部材内に導入され得、外科手段を実行し得る。
【００１９】
この外科手段の間に使用されるポータル部材は、ケリー鉗子を用いて切開（例えば、Ｈａｓｓｏｎ切開）内に導入され得る。しかしながら、このケリー鉗子は、そのケリー鉗子の腕およびハンドルの限定された長さに起因して、ポータル部材を適切に配置する外科医の能力を限定し得る。さらに、肥満患者において外科手術を実施する場合（例えば、肥満関連手段）、そのポータル部材の長さは、そのポータル部材の両端が腹壁に係合して、適切な封を維持するのに十分に適切なものではないかもしれない。従って、本開示に従うと、以下にさらに説明されるように、ポータル部材と組み合わせてカラーアセンブリが使用されて延長を提供し、その結果、肥満患者に適切な処置が与えられ得る。
【００２０】
ここで図面（同様の参照番号は、いくつかの図面にわたって同一または実質的に類似の部分を特定する）を参照すると、図１〜４は、最小侵襲性外科手段において使用するための、ポートおよびカラーアセンブリ１００および２００を図示する。外科的ポートおよびカラーアセンブリ１００は、カラー１０２と、そのカラー１０２内に位置付けられ得るポータル部材１０４とを備える。カラー１０２は、フランジ部分１０６と、そこから延びる細長部材１０８とを備える。フランジ部分１０６は、そこを通ってのポータル部材１０４の挿入を容易にするための漏斗形状構成を有し得る。フランジ部分１０６の裏面は、患者の外表面（例えば、皮膚）に隣接し、体腔（例えば、腹腔「Ｐ」）との適切な封を維持し、かつカラー１０２が完全に切開「Ｉ」に入るのを防止するように構成されている。
【００２１】
図１および図３Ａに示されるように、細長カラーセグメントまたはエレメント１０８は、カラー１０２の長さを延びる長手方向軸「Ｘ」に対して、長手方向通路１１２を規定する。細長エレメント１０８は、腹壁「Ａ」の切開「Ｉ」内への挿入のための寸法にされており、内部の直径「Ｄ１」を規定するスリーブエレメントであり得る。この直径「Ｄ１」は、細長部材１０８の長さに沿って実質的に一定であり得る。カラー１０２は、テーパー状先端１１０を細長部材１０８の遠位端に備える。図３Ａに示されるように、テーパー状先端１１０は、内部部分１１０ａと外部部分１１０ｂとを備え、これらについては以下にさらに説明される。直径「Ｄ１」は、細長部材１０８の長さに沿って、テーパー状先端１１０に向かって直径「Ｄ２」に減少し得る。ある実施形態において、直径「Ｄ１」および「Ｄ２」は、約３ｍｍから約１５ｍｍの範囲であり得る。
【００２２】
ポータル部材１０４は、軸「Ｘ」に沿って、かつポータル部材１０４の細長部分１２５を通って延びる１または複数の長手方向ポート１２２を備える。少なくとも１または複数の内部長手方向ポート１２２は、その中を通る外科的物体（示さず）を受容するような寸法である。各ポート１２２を通る導入の際に、そのポート１２２を規定する内部表面部分は、機器または外科的物体について、実質的に封をされた関係を確立し、維持する。ポータル部材１０４は、示されるように砂時計の形状を規定し得る。後端１２４および前端１２６は、ポータル部材１０４の細長部材１２５と一体に形成され得るフランジセグメントを規定し得る。ポータル部材１０４は、使い捨ての、圧縮性の、かつ／または可撓性タイプの材料（例えば、１または複数の外科的物体（一般的に、１つの外科的物体として示される）について封を形成し、そしてまた組織とも封の関係を確立するのに十分な適合性を有する、適切な発泡体またはゲル材料が挙げられるが、これらに限定されない）から製造され得る。この発泡体は、好ましくは、外科的物体の軸から外れた動きに対応するのに十分に適合している。１つの実施形態において、その発泡体は、ポリイソプレン材料である。適したポータル部材は、２００８年１０月２日に出願された、同一譲受人に係る米国特許出願公開第２００９／００９３７５２号（その全内容が、本明細書中に参考として援用される）において開示されている。
【００２３】
図２に示されるように、操作において、切開「Ｉ」が患者の腹壁「Ａ」に沿って作製され、患者の腹腔「Ｐ」へのアクセスを提供する。実施形態の一般的性質を明確にする目的で、単純化された腹壁「Ａ」が示され、そしてこれは一般的に頂部組織層「Ｔ」と底部脂肪層「Ｆ」とを含む。代表的に、外科医は、組織層「Ｔ」に沿って約１インチ長で切開「Ｉ」を実施し、そして、腹腔「Ｐ」へアクセス可能になるまで脂肪層「Ｆ」を含む全層を次第に切開する。上記の通り、この手段はＨａｓｓｏｎ切開と呼ばれる。
【００２４】
ここで図２および図３Ａ〜３Ｃを参照すると、適切な切開が作製された後、フランジ部分１０６が組織層「Ｔ」に隣接して適切な封を作り出すまで、カラー１０２が、腹壁「Ａ」内で遠位方向または前方方向に、切開「Ｉ」内へ位置付けされる（例えば、押される）。カラー１０２が腹壁「Ａ」内にしっかりと位置付けされた後、ポータル部材１０４が、フランジ部分１０６内（例えば、長手方向通路１１２内）に位置付けされ、そして、ポータル部材１０４の前端１２６が腹壁「Ａ」の底部層（例えば、脂肪層「Ｆ」）に隣接するまで、細長部材１０８内で遠位方向または前方方向に押される。
【００２５】
ポータル部材１０４の細長部材１０８への挿入の間、後端１２４および前端１２６は、直径「Ｄ１」の全体の幅まで減少される。さらなる挿入の間、ポータル部材１０４の前端１２６は、テーパー状先端１１０の開口部を通って遠位方向に押されるかまたは展開される場合、直径「Ｄ２」に減少される。さらなる挿入の後、前端１２６は、腹腔「Ｐ」に到達するまで、腹壁「Ａ」の残りの層（例えば、脂肪層「Ｆ」）を通して押される。この構成において、後端１２４はテーパー状先端１１０の内部部分１１０ａに隣接して封を維持し、細長セクション１２５は脂肪層「Ｆ」内にフィットし、そして前端１２６は腹壁「Ａ」の底部層に隣接して適切な封を維持する。すなわち、ポータル部材１０４は、細長部材１０８の内部表面と、脂肪層「Ｆ」を含む腹壁「Ａ」とをそれらが封をされた関係にはめ込むことによって、流体（例えば、腹腔鏡手段におけるガス、または関節鏡手段における生理食塩水）の漏れを防止する。その後、外科器具（示さず）が１または複数の長手方向ポート１２２内（本明細書中で上記されたように、これもまた封をされた関係にある）に導入され得、所望される外科手術を実施し得る。
【００２６】
ここで本開示の代替的実施形態を図示する図４に移ると、カラーアセンブリ２００が描かれ、これは本明細書中で上記したポートおよびカラーアセンブリ１００と実質的に類似しており、それゆえそれらの間の相違に関してのみ説明する。
【００２７】
外科的ポートおよびカラーアセンブリ２００は、カラー２０２と、そのカラー２０２内に位置付け可能なポータル部材１０４とを備える。カラー１０２または２０２は、フランジ部分２０６と、そこから延びる細長部材１０８とを備え、これがカラー２０２の長さを延びる長手方向軸「Ｘ」に対して長手方向通路２１２を規定する。細長部材２０８または１０８は、スタック構成でその長さに沿って配置された、内向きに突出した輪状リブまたはリング２１４を備える。輪状リブ２１４は、ポータル部材１０４の近位端または後端１２４がそれと係合するための表面を提供する。この様式において、近位端または後端１２４が輪状リブ２１４のいずれか１つに隣接した場合、内部の封をされた関係が、長手方向通路２１２内に生じる。ポータル部材１０４は、輪状リブ２１４のいずれか１つに隣接するように構成され得、それによって外科的ポートおよびカラーアセンブリ２００の全体的な長さを、その全体として変動させ得る。
【００２８】
輪状リブ２１４は、ポータル部材の滑動を向上させるために、シリコンのような滑らかなコーティングを備え得る。加えて、輪状リブ２１４は、限定はされないが例えば、一連のポリ（テトラフルオロエチレン）（ＰＴＦＥ）の並べられた輪状リブ２１４であり得、圧縮性ポータル部材１０４のカラー２０２を通る前進または展開の間に、圧縮性ポータル部材１０４が輪状リブ２１４に沿って滑動することを許容することにより、圧縮性ポータル部材１０４の努力を要しない展開を補助する。
【００２９】
上記の外科的手段と同様に、適切な挿入が作製された後、カラー２０２が、フランジ部分２０６が頂部組織層「Ｉ」に隣接して適切な封を作製するまで、腹壁「Ａ」内で遠位方向または前方方向に、切開「Ｔ」内へ位置付けされる（例えば、押される）。カラー２０２が腹壁「Ａ」内にしっかりと位置付けされた後、ポータル部材１０４が、フランジ部分２０６内（例えば、長手方向通路２１２内）に位置付けされ、ポータル部材１０４の前端１２６が腹壁「Ａ」の底部層（例えば、脂肪層「Ｆ」）に隣接するまで、細長部材２０８内で遠位方向または前方方向に押される。
【００３０】
脂肪層「Ｆ」の厚さに依存して、切開の間、後端１２４が輪状リブ２１４のいずれか１つに隣接するように、ポータル部材１０４が調整され得る。この様式において、ポータル部材１０４の後端１２４が輪状リブ２１４のいずれか１つに隣接するように調整され得、それによって、外科用ポートおよびカラーアセンブリ２００の全体の長さを、その全体として変動させ得る。完全に組み立てられた構成において、前端１２６は腹壁「Ａ」（例えば、脂肪層「Ｆ」）と平らになっており、後端１２４は輪状リブ２１４のうちの１つに隣接して封を維持し、そしてフランジ部分２０６が頂部組織層「Ｔ」に隣接して適切な封を作製する。すなわち、外科用ポートおよびカラーアセンブリ２００は、組織層「Ｔ」と脂肪層「Ｆ」とを含む腹壁「Ａ」に作製された切開を通じての、流体（例えば、腹腔鏡手段におけるガス、または関節鏡手段における生理食塩水）の漏れを防止する。その後、外科器具（示さず）が１または複数の長手方向ポート１２２内（本明細書中で上記されたように、これもまた封をされた関係にある）に導入され得、所望される外科手術を実施する。
【００３１】
本開示のいくつかの実施形態が図面において示され、そして／または本明細書中で考察されたが、本開示がそれらに限定されることは意図されておらず、本開示は、当該分野が許容する程度に範囲が広範であり、そして本明細書がそのように読まれることが意図される。それゆえ、上記の説明は、限定と解釈されるべきではなく、単に具体的実施例の例示であると解釈されるべきである。当業者は、本明細書に添付の特許請求の範囲の範囲および趣旨の中で他の改変を企図する。
【符号の説明】
【００３２】
１００、２００  ポートおよびカラーアセンブリ
１０２、２０２  カラー
１０４  ポータル部材
１０６  フランジ部分
１０８、２０８  細長部材
１１０  テーパー状先端
１１２、２１２  長手方向通路
１２２  長手方向ポート
１２４  前端
１２６  後端
２１４  輪状リブ
【図１】
2012110677.tif 000003
【図２】
2012110677.tif 000004
【図３Ａ】
2012110677.tif 000005
【図３Ｂ】
2012110677.tif 000006
【図３Ｃ】
2012110677.tif 000007
【図４】
2012110677.tif 000008